(57)【要約】【課題】撮像装置本体に対する接眼光学系の突出可能量を大きくする。【解決手段】撮像装置２０００は、電子ビューファインダユニット１０００を有する。電子ビューファインダユニットは、ファインダ画像を表示する画像表示素子２２１と、ファインダ画像の撮像装置の背面側からの観察を可能とする接眼光学系１３０，１４０と、接眼光学系および画像表示素子を保持する保持機構１００，２００，３００とを有する。保持機構は、接眼光学系を、接眼光学系が撮像装置の本体に対して格納される第１の位置と接眼光学系が第１の位置よりも背面側に突出する第２の位置との間で接眼光学系の光軸方向に移動可能に保持する。【選択図】図４
2019071517.tif 000002
【特許請求の範囲】
【請求項１】
電子ビューファインダユニットを有する撮像装置であって、
前記電子ビューファインダユニットは、
ファインダ画像を表示する画像表示素子と、
前記ファインダ画像の前記撮像装置の背面側からの観察を可能とする接眼光学系と、
前記接眼光学系および前記画像表示素子を保持する保持機構とを有し、
前記保持機構は、前記接眼光学系を、前記接眼光学系が前記撮像装置の本体に対して格納される第１の位置と前記接眼光学系が前記第１の位置よりも前記背面側に突出する第２の位置との間で前記接眼光学系の光軸方向に移動可能に保持することを特徴とする撮像装置。
【請求項２】
前記保持機構は、前記第２の位置を前記接眼光学系の光軸方向に変更可能に構成されていることを特徴とする請求項１に記載の撮像装置。
【請求項３】
前記画像表示素子を保持し、該画像表示素子とともに前記光軸方向に移動可能な素子保持部材と、
前記画像表示素子の前記光軸方向での位置を調節するためのカム部材と、
前記素子保持部材を前記カム部材に当接させるように付勢する付勢部材とを有することを特徴とする請求項１または２に記載の撮像装置。
【請求項４】
前記接眼光学系は、前記付勢部材を前記素子保持部材の付勢方向とは反対方向に変形させながら前記第２の位置から前記第１の位置に移動することを特徴とする請求項３に記載の撮像装置。
【請求項５】
前記接眼光学系が前記第１の位置にあるときは、前記素子保持部材と前記カム部材とが前記光軸方向において離間することを特徴とする請求項３または４に記載の撮像装置。
【請求項６】
前記接眼光学系に対するユーザの接眼を検出する接眼検出手段と、
前記接眼光学系が前記第１の位置および前記第２の位置のうちいずれに位置するかを検出する位置検出手段と、
前記接眼光学系が前記第２の位置に位置するときは前記接眼検出手段により前記接眼を検出し、前記接眼光学系が前記第１の位置に位置するときは前記接眼検出手段を通じて外光の照度を検出する制御手段とを有することを特徴とする請求項１から５のいずれか一項に記載の撮像装置。
【請求項７】
前記接眼光学系に対するユーザの接眼を検出する接眼検出手段と、
前記接眼光学系が前記第１の位置および前記第２の位置のうちいずれに位置するかを検出する位置検出手段と、
前記接眼光学系が前記第２の位置に位置するときは前記接眼検出手段に電源を供給し、前記接眼光学系が前記第１の位置に位置するときは前記接眼光学系への電源供給を遮断する制御手段とを有することを特徴とする請求項１から６のいずれか一項に記載の撮像装置。
【請求項８】
前記接眼光学系のうち最も接眼側に位置する光学部品が、レンズ形状を有することを特徴とする請求項１から７のいずれかに記載の撮像装置。
【発明の詳細な説明】
【技術分野】
【０００１】
本発明は、電子ビューファインダを有する撮像装置に関する。
【背景技術】
【０００２】
上記のような撮像装置として、特許文献１において開示されたものがある。この撮像装置の電子ビューファインダは、画像表示素子を有するビューファインダ本体と視度調整機能を有する接眼鏡筒部とにより構成されており、ビューファインダ本体（画像表示素子）に対して接眼鏡筒部が光軸方向に移動可能となっている。
【先行技術文献】
【特許文献】
【０００３】
【特許文献１】特開平０３−００１７６５号公報
【発明の概要】
【発明が解決しようとする課題】
【０００４】
しかしながら、特許文献１にて開示された電子ビューファインダでは、接眼鏡筒部のみを移動可能としているために、ビューファインダ本体からの接眼鏡筒部の引き出し（突出）可能量が少ない。このため、接眼鏡筒部の覗いたユーザの鼻がビューファインダ本体を保持している撮像装置本体やその背面に設けられた液晶パネルに干渉するおそれがある。
【０００５】
本発明は、撮像装置本体に対する接眼部（接眼光学系）の突出可能量を大きくすることができるようにした撮像装置を提供する。
【課題を解決するための手段】
【０００６】
本発明の一側面としての撮像装置は、電子ビューファインダユニットを有する。該電子ビューファインダユニットは、ファインダ画像を表示する画像表示素子と、ファインダ画像の撮像装置の背面側からの観察を可能とする接眼光学系と、接眼光学系および画像表示素子を保持する保持機構とを有する。保持機構は、接眼光学系を、接眼光学系が撮像装置の本体に対して格納される第１の位置と接眼光学系が第１の位置よりも背面側に突出する第２の位置との間で接眼光学系の光軸方向に移動可能に保持することを特徴とする。
【発明の効果】
【０００７】
本発明によれば、撮像装置の本体に対する接眼光学系の突出可能量を大きくすることができる。
【図面の簡単な説明】
【０００８】
【図１】本発明の実施例であるカメラに設けられる電子ビューファインダユニットの斜視図。
【図２】上記電子ビューファインダユニットの分解斜視図。
【図３】上記電子ビューファインダユニットの格納状態を示す断面図。
【図４】上記電子ビューファインダユニットのプラス視度状態を示す断面図。
【図５】上記電子ビューファインダユニットの基準視度状態を示す断面図。
【図６】上記電子ビューファインダユニットマイナス視度状態の断面図。
【図７】上記カメラの正面斜視図。
【図８】上記カメラ（電子ビューファインダユニットは格納状態）の背面斜視図。
【図９】上記カメラ（電子ビューファインダユニットは使用状態）の背面斜視図。
【発明を実施するための形態】
【０００９】
以下、本発明の実施例について図面を参照しながら説明する。
【００１０】
図１および図２、本発明の実施例である撮像装置（以下、カメラという）に搭載される電子ビューファインダユニット１０００を示している。まず、図２を用いて電子ビューファインダユニット１０００の構成について説明する。
【００１１】
１００は接眼部を構成する接眼レンズユニットであり、レンズカバー１１０、保護窓１２０、２つのレンズ（接眼光学系）１３０，１４０およびレンズホルダ１５０により構成されている。保護窓１２０、レンズ１３０およびレンズ１４０は、カメラの背面側（以下、後側ともいう）から被写体側（以下、前側ともいう）に向かってこの順で配置されている。
【００１２】
レンズカバー１１０の内側には、レンズホルダ１５０により収納および保持された保護窓１２０と２つのレンズ１３０，１４０が固定される。保護窓１２０は、レンズホルダ１５０内に塵埃が侵入するのを防ぐとともに、レンズ１３０を保護する役割を有する。本実施例では、保護窓１２０を平行平板により形成しているが、接眼光学系のうち最も後側（接眼側）に位置する光学部品としてレンズ形状に形成してもよい。このことは、光学設計の自由度を向上させ、小型化や性能向上に寄与する。
【００１３】
２００はパネルユニットであり、素子保持部材としてのパネルホルダ２１０、画像表示素子としての画像表示パネル２２１、防塵部材２２２およびパネルカバー２３０によって構成されている。パネルカバー２３０の内側には、パネルホルダ２１０により収納および保持された画像表示パネル２２１と防塵部材２２２が固定される。画像表示パネル２２１は、有機ＥＬ素子や液晶素子等が用いられる。防塵部材２２２は、パネルホルダ２１０における画像表示パネル２２１を保持する側とは反対側（前側）の開口を塞ぐカバー板２２３を保持している。画像表示パネル２２１には、撮像装置に設けられた撮像素子（図示せず）を通じた撮像により生成された電子画像がファインダ画像として表示される。このファインダ画像は、レンズ１３０，１４０によって拡大されてユーザの眼に提示される。これにより、ファインダ画像を撮像装置の背面側からの観察が可能となる。図１および図２における２２４は、画像表示パネル２２１に接続されたフレキシブル基板である。
【００１４】
３００はベースユニットであり、ベース部材３１０、カム部材３２０、スライダ３３０、ベースプレート３４０およびレバー部材３５０によって構成されている。ベース部材３１０は、カメラの本体（以下、カメラ本体という）に固定され、カム部材３２０を図中のＸ方向（水平方向）に摺動可能に保持する溝部３１１と、スライダ３３０をＸ方向に摺動可能に保持する溝部３１２とを有する。カム部材３２０とスライダ３３０は、互いに係合して一体でＸ方向に移動可能である。また、カム部材３２０とスライダ３３０のＹ方向の移動は、ベース部材３１０に固定されたベースプレート３４０によって制限（阻止）される。
【００１５】
操作部材としてのレバー部材３５０は、ベースプレート３４０に形成された貫通溝部３４１によりＸ方向に摺動可能に保持されている。レバー部材３５０のＹ方向の移動は、ベースプレート３４０を挟んでスライダ３３０に結合されることで制限される。このような構成では、レバー部材３５０がＸ方向に操作（移動）されると、スライダ３３０を介してカム部材３２０がＸ方向に移動する。これにより、後述する視度調節が可能となる。
【００１６】
レンズユニット１００およびパネルユニット２００は、ベース部材３１０によってＺ方向（接眼光学系の光軸方向）に移動可能に保持される。これにより、レンズユニット１００およびパネルユニット２００をＺ方向に移動可能に保持する保持機構が構成される。
【００１７】
次に図３から図６を用いて、電子ビューファインダユニット１０００の動作について説明する。図３は電子ビューファインダユニット１０００の格納状態を、図４はプラス視度状態を、図５は基準視度状態を、図６はマイナス視度状態をそれぞれ示している。各図において、（ａ）は電子ビューファインダユニット１０００のＹＺ断面を示し、（ｂ）はＸＺ断面を示している。図４、図５および図６に示す状態をまとめて使用状態（ファインダ画像の観察可能状態）ともいう。
【００１８】
図３に示す格納状態および図４〜図６に示す使用状態のいずれにおいても、パネルユニット２００は、固定部材３７０に固定された付勢部材３６０によってレンズユニット１００側（接眼光学系側）に付勢される。図３に示す格納状態では、レンズユニット１００およびパネルユニット２００は、レンズホルダ１５０に設けられた当接部１５１とパネルホルダ２１０とが当接して格納状態での位置（第１の位置：以下、格納位置という）に位置している。このとき、パネルユニット２００は、レンズユニット１００とともに付勢部材３６０の付勢力に抗して押し込まれた状態で格納されている。
【００１９】
また、格納状態では、パネルホルダ２１０に設けられたフォロア部２１１とカム部材３２０のカム部３２１とがＺ方向に離間している。
【００２０】
図３の状態から図４の状態までレンズユニット１００がベース部材３１０から引き出されると、レンズカバー１１０がベース部材３１０に設けられた不図示のストッパ部に当接する。この状態では、レンズユニット１００（レンズ１３０，１４０）が図３の状態よりもカメラ本体から大きく突出している。また、レンズユニット１００の引き出しに伴って、パネルユニット２００は、付勢部材３６０の付勢力によって、パネルホルダ２１０のフォロア部２１１がカム部材３２０のカム部３２１に当接するまで移動する。これにより、レンズユニット１００およびパネルユニット２００が使用位置（第２の位置）に位置する。図４の状態では、レンズユニット１００とパネルユニット２００とがＺ方向に最も離間しており、これによりプラス視度状態となる。
【００２１】
図４の状態から視度調節のために図５または図６の状態とするためには、ユーザがレバー部材３５０をＸ方向に操作する。レバー部材３５０のＸ方向への移動により、スライダ３３０とカム部材３２０も一体にＸ方向に移動する。このとき、パネルホルダ２１０のフォロア部２１１は付勢部材３６０の付勢力によってカム部材３２０のカム部３２１に押し付けられているため、カム部３２１のリフトによってＺ方向に移動する。つまり、パネルユニット２００がＺ方向に移動し、パネルユニット２００（画像表示パネル２２１）とレンズユニット１００（レンズ１３０，１４０）との間の距離が長くなる。これにより、図５に示す基準視度状態または図６に示すマイナス視度状態に調節される。
【００２２】
レンズユニット１００およびパネルユニット２００を使用位置から格納位置に移動させるには、ユーザがレンズユニット１００をパネルユニット側（付勢部材３６０による付勢方向とは反対方向である前側）に押し込む。レンズユニット１００を押し込んでいる間にレンズホルダ１５０の当接部１５１がパネルホルダ２１０に当接し、その後は付勢部材３６０をパネルユニット側に変形させながら、すなわち付勢部材３６０の付勢力に抗して格納位置まで押し込む。
【００２３】
パネルユニット２００の格納位置は、視度調節により変化する使用位置（フォロア部２１１がカム部３２１に当接する位置）のうち最も格納位置に近い位置よりさらに前側の位置であり、パネルユニット２００のフォロア部２１１はカム部３２１から離間する。したがって、パネルユニット２００を使用位置から格納位置に格納するには、レンズユニット１００によりパネルユニット２００を格納位置まで押し込み、さらにレンズユニット１００との当接によりパネルユニット２００を格納位置に保持する。このため、パネルユニット２００の使用位置から格納位置への移動に際してレバー部材３５０を操作または移動させる必要がないため、視度調節がなされたパネルユニット２００の使用位置を記憶した状態でパネルユニット２００を格納することができる。この結果、電子ビューファインダユニット１０００を使用するごとに視度調節を行う必要をなくすることができる。
【００２４】
以上の構成において、格納状態でのベース部材３１０の前端からパネルカバー２３０の後端までの距離をＤ１とし、図４に示す使用状態（プラス視度状態）での同距離をＤ２とする。このとき、格納状態から使用状態までの間で、
ΔＤ＝Ｄ２−Ｄ１
だけパネルユニット２００がＺ方向に移動する。なお、図３および図４に示したカム部材３２０のＸ方向での位置は互いに同じである。また、図５に示す使用状態（基準視度状態）および図６に示す使用状態（マイナス視度状態）におけるベース部材３１０の前端からパネルホルダ２１０の後端までの距離をそれぞれ、Ｄ３およびＤ４とする。このとき、
Ｄ４＞Ｄ３＞Ｄ２
の関係がある。
【００２５】
図４に示す使用状態におけるレンズユニット１００とパネルユニット２００の間隔Ｃは光学設計的に決まっているため、パネルユニット２００と同じΔＤだけレンズユニット１００を移動させる必要がある。図３に示す格納状態および図４（および図５、図６）に示す使用状態でのベース部材３１０の前端からレンズカバー１１０の後端までの距離をそれぞれＬ１およびＬ２とする。このとき、
ΔＬ＝Ｌ２−Ｌ１＝Ｃ＋ΔＤ
となる。
【００２６】
従来では格納状態から使用状態にする際に間隔Ｃに相当する距離しかレンズユニット１００を引き出すことができなかった。これに対して、本実施例では、パネルユニット２００をΔＤだけ移動させることにより、レンズユニット１００もΔＤだけより大きく引き出すことができる。
【００２７】
なお、本実施例ではパネルユニット２００を移動させることによって視度調節を行うが、レンズユニット１００を移動させることによって視度調節を行ってもよい。また、レンズユニット１００およびパネルユニット２００の使用位置（つまりはカメラ本体に対する突出量）を変更可能に構成してもよい。
【００２８】
次に、図７から図９を用いて、上述した電子ビューファインダユニット１０００を備えたカメラ２０００について説明する。図７は正面斜めから見たカメラ２０００を示し、図８は電子ビューファインダユニット１０００が格納状態にある（以下、ファインダ格納状態にあるという）カメラ２０００を背面斜めから見て示している。図９は電子ビューファインダユニット１０００が使用状態にある（以下、ファインダ使用状態にあるという）カメラ２０００を背面斜めから見て示している。
【００２９】
２１００はレンズ鏡筒であり、不図示の複数のレンズにより構成されている。図７では、レンズ鏡筒２１００がカメラ本体２００１内に格納された沈胴状態を示している。カメラ本体２００１内には、撮像素子２００２が内蔵されている。撮像素子２００２は、レンズ鏡筒２１００により形成された被写体像を撮像することで電子画像（撮像画像やファインダ画像）を生成するために用いられる。２２００はカメラ本体２００１の背面に設けられた外部画像表示パネルとしての背面モニタであり、ファインダ画像と同様なライブビュー画像や撮像画像を表示する。
【００３０】
２３００は赤外線発光素子と赤外線受光素子とからなる接眼センサ（接眼検出手段）である。図８に示した制御手段としてのカメラマイクロコンピュータ２００３は、図８に示したファインダ格納状態では、接眼センサ２３００の受光素子を通じて外光の照度を検出する。カメラマイクロコンピュータ２００３は、検出した照度に応じて背面モニタ２２００に表示される画像の明るさを調節する。すなわち、本実施例では、接眼センサ２３００を照度センサとしても利用する。
【００３１】
また、図９に示したファインダ使用状態では、接眼センサ２３００を用いて、ユーザが接眼部に眼を接近させたときに赤外線発光素子から出射した赤外光がユーザの顔で反射して受光素子で受光されたこと（すなわち接眼）を検出することができる。カメラコンピュータ２００３は、接眼センサ２３００を通じて接眼を検出することに応じて、背面モニタ２２００への画像表示から電子ビューファインダユニット１０００（画像表示パネル２２１への画像表示に切り替える。一方、接眼を検出しなくなると、カメラマイクロコンピュータ２００３は、電子ビューファインダユニット１０００への画像表示から背面モニタ２２００へ画像表示に切り替える。
【００３２】
カメラ本体２００１には、図８に示すように電子ビューファインダユニット１０００がファインダ格納状態（格納位置）とファインダ使用状態（使用位置）のうちいずれにあるかを検出する位置検出手段としての検出スイッチ２００４が搭載されている。カメラマイクロコンピュータ２００３は、検出スイッチ２００４からの信号に応じて上述したように接眼センサ２３００を外光の照度を検出するために用いるか接眼を検出するために用いるかを切り替える。このようにファインダ格納状態とファインダ使用状態とで接眼センサ２３００の用途を切り替えることによって、ユーザはライブビュー画像またはファインダ画像を快適に観察することができる。
【００３３】
また、接眼センサ２３００を、接眼の検出のみに用いてもよい。この場合、カメラマイクロコンピュータ２００３は、ファインダ使用状態では接眼センサ２３００に電源を供給し、ファインダ格納状態では接眼センサ２３００への電源供給を遮断するとよい。ファインダ格納状態からファインダ使用状態になることに応じて、接眼センサ２３００への電源供給を自動で再開するようにしてもよい。
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００３４】
以上説明した各実施例は代表的な例にすぎず、本発明の実施に際しては、各実施例に対して種々の変形や変更が可能である。
【符号の説明】
【００３５】
１００    レンズユニット
１３０，１４０    レンズ
１５０    レンズホルダ
２００    パネルユニット
２１０    パネルホルダ
２２１    画像表示パネル
３００    ベースユニット
３１０    ベース部材
３２０    カム部材
３３０    スライダ
３５０    レバー部材
３６０    付勢部材
２０００    カメラ
【図１】
2019071517.tif 000003
【図２】
2019071517.tif 000004
【図３】
2019071517.tif 000005
【図４】
2019071517.tif 000006
【図５】
2019071517.tif 000007
【図６】
2019071517.tif 000008
【図７】
2019071517.tif 000009
【図８】
2019071517.tif 000010
【図９】
2019071517.tif 000011